(57)【要約】【課題】本発明は送信の効率を改善することが可能な無線パケット送信方法を提供することを目的とする。【解決手段】送信元の無線局が無線パケットを送信する前に、一定時間に渡ってキャリアセンスを行い、他の無線局からの送信が検出されなかった場合に限って無線パケットを送信し、送信先の無線局からの受信応答を受け取ることにより無線パケットの送信完了を確認する無線パケット送信方法において、送信元の無線局が既に送信した無線パケットに対する送信先の無線局からの受信応答を受け取った後で、次に送信すべきデータが送信元の無線局に存在し、かつ所定の条件を満たす場合には、前記キャリアセンスを省略するか又は前記キャリアセンスを行う時間の長さを規定された時間よりも短縮して、次の無線パケットを送信することを特徴とする。【選択図】      図１
2004260266.tif 000002
【特許請求の範囲】
【請求項１】
送信元の無線局が無線パケットを送信する前に、一定時間に渡ってキャリアセンスを行い、他の無線局からの送信が検出されなかった場合に限って無線パケットを送信し、送信先の無線局からの受信応答を受け取ることにより無線パケットの送信完了を確認する無線パケット送信方法において、
送信元の無線局が既に送信した無線パケットに対する送信先の無線局からの受信応答を受け取った後で、次に送信すべきデータが送信元の無線局に存在し、かつ所定の条件を満たす場合には、前記キャリアセンスを省略するか又は前記キャリアセンスを行う時間の長さを規定された時間よりも短縮して、次の無線パケットを送信する
ことを特徴とする無線パケット送信方法。
【請求項２】
請求項１の無線パケット送信方法において、前記キャリアセンスの省略もしくは時間の短縮を連続的に行った回数、又は最初の無線パケットの送信開始からの経過時間を管理し、前記回数又は経過時間が予め定めた閾値に到達した場合には、前記キャリアセンスの省略もしくは時間の短縮動作を中止することを特徴とする無線パケット送信方法。
【請求項３】
請求項２の無線パケット送信方法において、前記無線パケットに関する情報伝送速度の選択が可能な場合には、前記キャリアセンスの省略もしくは時間の短縮を連続的に行った回数に対する閾値を前記情報伝送速度の違いに応じて自動的に変更することを特徴とする無線パケット送信方法。
【請求項４】
送信元の無線局が無線パケットを送信する前に、一定時間に渡ってキャリアセンスを行い、他の無線局からの送信が検出されなかった場合に限って無線パケットを送信し、送信先の無線局からの受信応答を受け取ることにより無線パケットの送信完了を確認する無線パケット送信方法において、
送信元の無線局における前記キャリアセンスが終了した際に、送信元の無線局の送信バッファ内に複数パケットのデータが蓄積されている場合には、複数パケットを含む送信フレームを構成し、前記送信フレームを前記無線パケットの１つに割り当てて送信する
ことを特徴とする無線パケット送信方法。
【請求項５】
請求項４の無線パケット送信方法において、前記送信フレームを構成する際には、前記送信フレームに含めるパケットの数、又は前記送信フレームの無線パケットが回線を占有する時間を予め定めた閾値に制限することを特徴とする無線パケット送信方法。
【請求項６】
請求項５の無線パケット送信方法において、前記無線パケットに関する情報伝送速度の選択が可能な場合には、前記送信フレームに含めるパケットの数を前記情報伝送速度の違いに応じて自動的に変更することを特徴とする無線パケット送信方法。
【発明の詳細な説明】
【０００１】
【発明の属する技術分野】
本発明は、無線通信システムに用いられる無線パケット送信方法に関する。
【０００２】
【従来の技術】
例えば、無線ＬＡＮシステムのような無線通信システムにおいては、無線基地局と１つ又は複数の無線端末との間で無線回線を形成して通信を行ったり、複数の無線端末の間で無線回線を形成して通信を行う。
このような通信を行う場合には、データを無線パケットの形式で伝送する。また、複数の送信局が存在する場合にはそれらが同時に無線パケットを送出すると、無線パケットの衝突によって通信障害が発生する。
【０００３】
そのため、従来よりＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）の制御により衝突を回避している。
すなわち、送信元端末は、送信したいデータが発生するとキャリアセンスを行って他の無線端末が同じ無線回線を使って送信していないかどうか確認する。そして、一定時間（Ｔｄ）に渡って他の無線端末からの送信が検出されなければ無線パケットの送信を行う。
【０００４】
一方、送信先の無線端末は、無線パケットを受信すると、送信元に対して受信応答（ＡＣＫ）を送信する。送信元端末がこの受信応答を受信すると、一連の送信シーケンスが完了する。
また、送信元端末における送信が完了した後、この送信元端末の送信バッファ内に送信すべきパケットがまだ残っている場合には、再びキャリアセンスを行う。この場合のキャリアセンスの時間は、前記一定時間（Ｔｄ）に、一定の範囲の中からランダムに選ばれた時間（ランダムバックオフ時間：Ｔｂ）を加えた時間に定められる。そして、他の無線端末からの送信が検出されなければ無線パケットの送信を行い、以降同じ処理を繰り返してパケットの送信を行う。
【０００５】
従って、無線回線上には例えば図８（ａ）に示すようなタイミングで信号が現れる。
ところで、上記のような無線通信システムにおいては、無線パケットを送信する際に、複数種類の送信速度（ビットレート）の中から１つの送信速度を選択することが可能な無線通信システムも存在する。
【０００６】
このような無線通信システムにおいても、キャリアセンスの時間の長さは一般的な無線通信システムと同じに定められる。
２種類の送信速度で送信する無線端末が混在する場合には、例えば図８（ｂ）に示すような信号が無線回線上に現れる。
【非特許文献１】
藤田他：“ＣＳＭＡ／ＣＡを用いた広帯域無線ＬＡＮのスループットによるシステム評価”，信学技報，ＲＣＳ２００２−１６８，２００２年１０月。
【非特許文献２】
Ｋ．  Ｓａｉｔｏ．  ｅｔ  ａｌ．“Ａｎ  Ｅｆｆｅｃｔｉｖｅ  Ｄａｔａ  Ｔｒａｎｓｆｅｒ  Ｍｅｔｈｏｄ  Ｂｙ  Ｉｎｔｅｇｒａｔｉｎｇ  Ｐｒｉｏｒｉｔｙ  Ｃｏｎｔｒｏｌ  ｉｎｔｏ  Ｍｕｌｔｉｒａｔｅ  Ｍｅｃｈａｎｉｓｍ  Ｆｏｒ  ＩＥＥＥ８０２．１１  Ｗｉｒｅｌｅｓｓ  ＬＡＮｓ，”  ＶＴＣ２００２  Ｓｐｒｉｎｇ．
【０００７】
【発明が解決しようとする課題】
上記のように、従来の無線パケット送信方法においては、いずれの送信速度で無線パケットを送信する場合であっても、１つの無線パケットを送信する度に、同一の時間（Ｔｄ又はＴｄ＋Ｔｂ）に渡ってキャリアセンスを実行し、他の無線局からの送信が検出されない場合に限って無線パケットの送信を行う。
【０００８】
送信速度が低速の場合には、１つの無線パケットの送信にかかる所要時間は長くなるが、送信速度が高速の場合には短い時間で１つの無線パケットを送信することができる。
しかしながら、送信速度が高速になると１つの無線パケットの送信にかかる所要時間は短くなるが、キャリアセンスに要する待ち時間（オーバーヘッド）の割合が大きくなるため送信の効率が劣化し、単位時間あたりの実際の情報伝送量、すなわち実効伝送速度は送信速度の高速化に比べてあまり改善されないのが実状である。
【０００９】
また、複数種類の伝送速度の中から１つの伝送速度を選択して無線パケットの送信を行う場合には、低速で送出される無線パケットと高速で送出される無線パケットとが同一の無線回線上に混在する可能性がある。
このような場合、図８（ｂ）に示すように低速の無線パケットは高速の無線パケットに比べて長い時間に渡って無線回線を占有するので、高速の無線パケットを送信する場合でも、低速の無線パケットの送信が終了するまで長い時間待つ必要がある。その結果、オーバーヘッドが大きくなり、送信速度を高速にしても実効伝送速度があまり向上しないという問題がある。
【００１０】
本発明は、送信の効率を改善することが可能な無線パケット送信方法を提供することを目的とする。
【００１１】
【課題を解決するための手段】
請求項１は、送信元の無線局が無線パケットを送信する前に、一定時間に渡ってキャリアセンスを行い、他の無線局からの送信が検出されなかった場合に限って無線パケットを送信し、送信先の無線局からの受信応答を受け取ることにより無線パケットの送信完了を確認する無線パケット送信方法において、送信元の無線局が既に送信した無線パケットに対する送信先の無線局からの受信応答を受け取った後で、次に送信すべきデータが送信元の無線局に存在し、かつ所定の条件を満たす場合には、前記キャリアセンスを省略するか又は前記キャリアセンスを行う時間の長さを規定された時間よりも短縮して、次の無線パケットを送信することを特徴とする。
【００１２】
請求項１においては、同一の無線局が複数の無線パケットを連続的に送信しようとする場合に、１つの無線パケットを送信した後でキャリアセンスを省略するか又はキャリアセンスを行う時間の長さを通常よりも短縮するので、短い時間で複数の無線パケットを送信することができる。
従って、ビットレートが高速の無線パケットと低速の無線パケットとが同じ無線回線上に混在するような場合には、高速の無線パケットを送信する無線局において、キャリアセンスの省略又はその時間の短縮を行うことにより、低速の無線パケットが無線回線を占有する時間を相対的に減らすことになるので、高速の無線パケットを送信する無線局については送信のオーバーヘッドが小さくなり、実効伝送速度が改善される。
【００１３】
請求項２は、請求項１の無線パケット送信方法において、前記キャリアセンスの省略もしくは時間の短縮を連続的に行った回数、又は最初の無線パケットの送信開始からの経過時間を管理し、前記回数又は経過時間が予め定めた閾値に到達した場合には、前記キャリアセンスの省略もしくは時間の短縮動作を中止することを特徴とする。
【００１４】
請求項２においては、キャリアセンスの省略回数または時間短縮回数、あるいは連続的に送出される無線パケットが無線回線を占有する時間を制限するので、特定の無線局だけが無線回線を長時間に渡って占有するのを防止できる。
請求項３は、請求項２の無線パケット送信方法において、前記無線パケットに関する情報伝送速度の選択が可能な場合には、前記キャリアセンスの省略もしくは時間の短縮を連続的に行った回数に対する閾値を前記情報伝送速度の違いに応じて自動的に変更することを特徴とする。
【００１５】
請求項３においては、キャリアセンスの省略回数または時間短縮回数を実際に使用する情報伝送速度に応じて定めるので、連続的に送出される無線パケットが無線回線を占有する時間を制限することができる。
請求項４は、送信元の無線局が無線パケットを送信する前に、一定時間に渡ってキャリアセンスを行い、他の無線局からの送信が検出されなかった場合に限って無線パケットを送信し、送信先の無線局からの受信応答を受け取ることにより無線パケットの送信完了を確認する無線パケット送信方法において、送信元の無線局における前記キャリアセンスが終了した際に、送信元の無線局の送信バッファ内に複数パケットのデータが蓄積されている場合には、複数パケットを含む送信フレームを構成し、前記送信フレームを前記無線パケットの１つに割り当てて送信することを特徴とする。
【００１６】
請求項４においては、同一の無線局が複数の無線パケットを連続的に送信しようとする場合に、複数パケットを含む送信フレームを１つの無線パケットで送信できるので、１つの無線パケットでより多くの情報を送信することができる。
従って、ビットレートが高速の無線パケットと低速の無線パケットとが同じ無線回線上に混在するような場合には、高速の無線パケットを送信する無線局が複数パケットを含む送信フレームを送信することにより、低速の無線パケットが無線回線を占有する時間を相対的に減らすことになるので、高速の無線パケットを送信する無線局の実効伝送速度が改善される。
【００１７】
請求項５は、請求項４の無線パケット送信方法において、前記送信フレームを構成する際には、前記送信フレームに含めるパケットの数、又は前記送信フレームの無線パケットが回線を占有する時間を予め定めた閾値に制限することを特徴とする。
【００１８】
請求項５においては、送信フレームに含めるパケットの数又は前記送信フレームの無線パケットが回線を占有する時間を制限するので、特定の無線局だけが無線回線を長時間に渡って占有するのを防止できる。
請求項６は、請求項５の無線パケット送信方法において、前記無線パケットに関する情報伝送速度の選択が可能な場合には、前記送信フレームに含めるパケットの数を前記情報伝送速度の違いに応じて自動的に変更することを特徴とする。
【００１９】
請求項６においては、送信フレームに含めるパケットの数を実際に使用する情報伝送速度に応じて定めるので、連続的に送出される無線パケットが無線回線を占有する時間を制限することができる。
【００２０】
【発明の実施の形態】
（第１の実施の形態）
本発明の無線パケット送信方法の１つの実施の形態について、図１〜図３を参照して説明する。この形態は、請求項１及び請求項２に対応する。
【００２１】
図１は無線局の送信動作（１）を示すフローチャートである。図２は無線回線上に現れる信号の例（１）を示すタイムチャートである。図３は無線局の構成例を示すブロック図である。
この形態においては、図３に示すような構成の無線局１０（送信元）が送信先の第２の無線局に対して無線回線を介して無線パケットを送信する場合を想定している。また、同じ無線回線に対して無線パケットを送信する第３の無線局（他の送信局）も存在する。
【００２２】
図３に示すように、無線局１０はアンテナ１１，送受信部１２，送受信バッファ１３，制御部１４及びキャリアセンス部１５を備えている。
送信しようとするデータは、外部の端末（図示せず）から所定のパケットの形式で無線局１０に順次に入力される。このデータは、送受信バッファ１３内の送信バッファに一時的に蓄積され、送信可能なタイミングになると、送受信部１２によって所定の送信信号に変換され、アンテナ１１から無線パケットの信号として送信される。
【００２３】
また、自局宛の無線パケットはアンテナ１１で受信され、送受信部１２で復調され、送受信バッファ１３内の受信バッファを介して外部の端末に受信パケットとして出力される。
キャリアセンス部１５は、送信を行おうとする際にアンテナ１１を介して受信される無線信号の有無を検出し、他の送信局から送出された信号が無線回線上に存在するか否かを識別する。制御部１４は、キャリアセンス部１５の検出状態に基づいて送信のタイミングを決定する。
【００２４】
この形態では、無線局１０は送信の際に図１に示すような制御を行う。以下、図１に示す動作について説明する。
無線局１０は、送信すべき１つ以上のパケットが送受信バッファ１３内の送信バッファに現れると、ステップＳ１１でキャリアセンスを開始する。そして、所定時間Ｔｄ又は（Ｔｄ＋Ｔｂ）に渡って他の送信局からの信号（キャリア）を非検出である（他の送信局が送信していない）と、ステップＳ１２からＳ１３に進む。
【００２５】
時間Ｔｄは予め規定された一定の時間であり、時間Ｔｂは決められた範囲内でランダムに決定されるバックオフ時間である。
ステップＳ１３では、送信回数Ｎｘ又は占有時間Ｔｘを計数するためのカウンタを初期化する。
ステップＳ１４では、１つのパケットを無線パケットとして送信する。また、送信した無線パケットに対する送信先からの受信応答ＡＣＫを受信する。
【００２６】
ステップＳ１５では、送信回数Ｎｘ又は占有時間Ｔｘの数値を１つカウントアップする。
ステップＳ１６では、送信バッファ内の未送信データ（パケット）の有無を確認する。未送信のパケットが存在する場合には、次のステップＳ１７に進む。
【００２７】
ステップＳ１７では、送信回数Ｎｘを予め定めた閾値Ｎｍａｘと比較するか、もしくは占有時間Ｔｘを予め定めた閾値Ｔｍａｘと比較する。（Ｎｘ＜Ｎｍａｘ）又は（Ｔｘ＜Ｔｍａｘ）の条件を満たす場合にはステップＳ１７からＳ１８に進み、条件を満たさない場合にはステップＳ１１に戻る。
ステップＳ１８では、前記一定時間Ｔｓだけキャリアセンスを行うか又は待機し、その後でステップＳ１４の処理に戻る。
【００２８】
従って、閾値Ｎｍａｘが３の場合を想定すると、例えば図２に示すような動作が実現する。
すなわち、無線局１０は図２の時刻ｔ０からキャリアセンスを開始し、時間Ｔｄを経過するまでの間に他の送信局からの信号を検出しない場合には、時刻ｔ１で１つの送信パケットＰ１を無線パケットとして送信する。この送信によって送信回数Ｎｘは１になる。
【００２９】
この送信パケットＰ１を受信した送信先の無線局は、誤り検出を行い、誤りがなければ受信してから所定時間Ｔｓ後に受信応答ＡＣＫを返す。なお、（Ｔｓ＜Ｔｄ）であるため、他の無線局が送信を試みた場合でも、送信先の無線局の方が先にＡＣＫを送信することになる。このため、送信先の無線局からのＡＣＫ送信が他の無線局によって妨げられることはない。
【００３０】
送信パケットＰ１を送信した無線局１０においては、受信応答ＡＣＫを時刻ｔ２で受信した後、次に送信すべきパケットが残っている場合には、（Ｎｘ＜Ｎｍａｘ）であるためステップＳ１７からＳ１８に進む。
従って、この場合はキャリアセンスを省略し時間Ｔｓを経過した時刻ｔ３で、次の送信パケットＰ２をステップＳ１４で直ちに送信する。この送信によって送信回数Ｎｘは２になる。
【００３１】
無線局１０が送信パケットＰ２を送信する場合にも、（Ｔｓ＜Ｔｄ）であるため、他の無線局が送信を試みた場合でも、無線局１０が先に送信パケットＰ２を送信することになる。このため、送信パケットＰ２の送信が他の無線局によって妨げられることはない。
無線局１０は、送信パケットＰ２に対する送信先からの受信応答ＡＣＫを時刻ｔ４で受信した後、次に送信すべきパケットが残っている場合には、（Ｎｘ＜Ｎｍａｘ）であるためステップＳ１７からＳ１８に進む。
【００３２】
従って、この時にもキャリアセンスを省略し時間Ｔｓを経過した時刻ｔ５で、次の送信パケットＰ３をステップＳ１４で直ちに送信する。
この送信によって送信回数Ｎｘは３になる。そのため、次にステップＳ１７を実行するときには、（Ｎｘ＝Ｎｍａｘ）であり、ステップＳ１７からＳ１１に戻る。従って、無線パケットを３個連続的に送信した後は、通常のキャリアセンスを実行する。
【００３３】
このため、送信時のキャリアセンスに関するオーバーヘッドが低減され、実効的な情報伝送速度が向上する。
（第２の実施の形態）
本発明の無線パケット送信方法の１つの実施の形態について、図４，図５を参照して説明する。この形態は、請求項４〜請求項６に相当する。
【００３４】
図４は無線局の送信動作（２）を示すフローチャートである。図５は無線回線上に現れる信号の例（２）を示すタイムチャートである。この形態は第１の実施の形態の変形例であり、図３と同じ構成の無線局１０を用いる場合を想定している。
また、この形態では送信に使用するビットレートＲを複数種類の中から選択できる場合を想定している。この形態では、無線局１０は送信の際に図４に示すような制御を行う。以下、図４に示す動作について説明する。
【００３５】
無線局１０は、送信すべき１つ以上のパケットが送受信バッファ１３内の送信バッファに現れると、ステップＳ２１でキャリアセンスを開始する。そして、所定時間Ｔｄ又は（Ｔｄ＋Ｔｂ）に渡って他の送信局からの信号（キャリア）を非検出である（他の送信局が送信していない）と、ステップＳ２２からＳ２３に進む。
【００３６】
ステップＳ２３では無線局１０は現在送信に使用しているビットレートＲを取得する。次のステップＳ２４では、ビットレートＲに応じて最大パケット数Ｋｍａｘを決定する。具体的には、例えば次のような計算式を用いる。
Ｋｍａｘ＝Ｋ０・Ｒ／Ｒ０
Ｋ０：基準パケット数（定数：例えば１）
Ｒ０：基準ビットレート（定数）
ステップＳ２５では、送信バッファ内の未送信データ（パケット）の有無を確認する。未送信のパケットが存在する場合には、次のステップＳ２６に進む。
【００３７】
ステップＳ２６では、ステップＳ２４で決定した最大パケット数Ｋｍａｘの範囲内で、送信バッファ内の未送信データ（パケット）から送信フレームを構成する。
例えば、（Ｋｍａｘ＝３）で３個以上の未送信パケットが無線局１０の送信バッファ内に存在する場合には、図５に示す送信フレームのように、３つの送信パケットＰ１，Ｐ２，Ｐ３とヘッダＨＤ及びテイラＴＬとを用いて１つの送信フレームを構成する。もしも存在するパケット数が２の場合には、（Ｋｍａｘ＝３）であっても２つのパケットを含む送信フレームを構成する。
【００３８】
ステップＳ２７では、１つの送信フレームを無線パケットとして送信する。また、送信した無線パケットに対する送信先からの受信応答ＡＣＫを受信する。
このように制御する場合には、例えば図５に示すように、ビットレートが高速の無線パケットと、ビットレートが低速の無線パケットとが１つの無線回線上で混在する場合であっても、例えば１つの高速の無線パケットが無線回線を占有する時間と、１つの低速の無線パケットが無線回線を占有する時間とを同じ程度の長さにすることもできる。
【００３９】
このため、ビットレートが高速の場合には、１つの無線パケット（送信フレーム）で複数のパケットを送信でき、キャリアセンスに伴う送信のオーバーヘッドを低減することができる。すなわち、パケットの伝送効率が向上し、実効的な情報伝送速度が増大する。
（第３の実施の形態）
本発明の無線パケット送信方法の１つの実施の形態について、図６，図７を参照して説明する。この形態は、請求項３に相当する。
【００４０】
図６は無線局の送信動作（３）を示すフローチャートである。図７は無線回線上に現れる信号の例（３）を示すタイムチャートである。
この形態は第１の実施の形態の変形例であり、図３と同じ構成の無線局１０を用いる場合を想定している。また、図６において図１と対応するステップは同じ番号を付けて示してある。第１の実施の形態と同じ部分については、以下の説明を省略する。
【００４１】
また、この形態では送信に使用するビットレートＲを複数種類の中から選択できる場合を想定している。この形態では、無線局１０は送信の際に図６に示すような制御を行う。以下、図６に示す動作について説明する。
ステップＳ３１では、無線局１０は現在送信に使用しているビットレートＲを取得する。次のステップＳ３２では、ビットレートＲに応じて最大送信回数Ｎｍａｘを決定する。具体的には、例えば次のような計算式を用いる。
【００４２】
Ｎｍａｘ＝Ｎ０・Ｒ／Ｒ０
Ｎ０：基準回数（定数：例えば１）
Ｒ０：基準ビットレート（定数）
従って、この形態ではキャリアセンスを省略又は短縮して複数の無線パケットを連続的に送信する回数の上限（Ｎｍａｘ）が、送信に使用しているビットレートＲに応じて決定される。
【００４３】
図７に示す例では、ビットレートが高速の場合には連続的に現れる３つの無線パケットによって、送信パケットＰ１，Ｐ２，Ｐ３が連続的に送出され、ビットレートが低速の場合には１つの無線パケットを送信するたびに通常のキャリアセンスが実行される。
なお、送信に使用できるビットレートが高速と低速との２種類だけの場合には、低速の場合には一般的な従来の制御を実施し、高速を選択した場合だけ図１，図４，図６に示すような動作を行うように制御してもよい。
【００４４】
【発明の効果】
以上説明したように、本発明によれば複数の無線パケットを連続的に送信するか、あるいは一度の送信で複数のパケットを送信することができるので、送信の際のオーバーヘッドが相対的に低減し、実効パケット速度が向上する。
また複数種類の送信速度の中から１つの送信速度を選択できる場合には、無線パケットを連続的に送信する回数や、１つの無線パケットに含めるパケットの数を送信速度に応じて決定することにより、低速の無線パケットと高速の無線パケットとが同じ無線回線上で混在する場合であっても、低速の無線パケットが無線回線を占有する時間の割合が大きくなるのを防止することができ、伝送効率が改善される。
【図面の簡単な説明】
【図１】無線局の送信動作（１）を示すフローチャートである。
【図２】無線回線上に現れる信号の例（１）を示すタイムチャートである。
【図３】無線局の構成例を示すブロック図である。
【図４】無線局の送信動作（２）を示すフローチャートである。
【図５】無線回線上に現れる信号の例（２）を示すタイムチャートである。
【図６】無線局の送信動作（３）を示すフローチャートである。
【図７】無線回線上に現れる信号の例（３）を示すタイムチャートである。
【図８】無線回線上に現れる信号の例（従来例）を示すタイムチャートである。
【符号の説明】
１０  無線局
１１  アンテナ
１２  送受信部
１３  送受信バッファ
１４  制御部
１５  キャリアセンス部
【図１】
2004260266.tif 000003
【図２】
2004260266.tif 000004
【図３】
2004260266.tif 000005
【図４】
2004260266.tif 000006
【図５】
2004260266.tif 000007
【図６】
2004260266.tif 000008
【図７】
2004260266.tif 000009
【図８】
2004260266.tif 000010